(57)【要約】      （修正有）【課題】利用者及び介護者にとっての負担を軽減することができる入浴装置、及び入浴システムを提供する。【解決手段】入浴装置１は、移動式立位保持器具２を内部に収容可能な収容部１１と、筐体部１２と、給湯配管１３Ａ〜１３Ｃと、ハンドシャワー部１４を備えている。側壁部１１２Ａと側壁部１１２Ｂは上下方向の辺同士で接続され、その接続箇所を支軸として支軸周り（鉛直軸周り）に可動部１１Ｂが固定部１１Ａに対して回動して開閉する。給湯配管１３Ａは例えば移動式立位保持器具２の搭乗者の肩部及び胸部に湯が噴出されるよう、給湯配管１３Ｂは例えば搭乗者の腰部に湯が噴出されるよう、給湯配管１３Ｃは例えば搭乗者の脚部に湯が噴出されるような位置に配される。【選択図】図１
2015216949.tif 000002
【特許請求の範囲】
【請求項１】
人が立位姿勢で搭乗した状態で移動可能な移動器具を収容可能な収容部と、
前記収容部の内部に配された水を噴出するための噴出部と、を備えることを特徴とする入浴装置。
【請求項２】
開閉可能に構成された前記収容部を閉め切った状態で、前記収容部の側面に開口部が形成されることを特徴とする請求項１に記載の入浴装置。
【請求項３】
開閉可能に構成された前記収容部は、閉めることによって内部が密閉された状態をとることが可能であることを特徴とする請求項１に記載の入浴装置。
【請求項４】
前記収容部の天面には、前記密閉された状態にて開口部が形成されることを特徴とする請求項３に記載の入浴装置。
【請求項５】
前記収容部は、第１構成部と、前記第１構成部に対して鉛直軸周りに回動可能に接続される第２構成部と、を備え、
前記噴出部は、前記第１構成部の側壁部内面及び前記第２構成部の側壁部内面にわたって沿うように配される給湯配管に設けられることを特徴とする請求項１〜請求項４のいずれか１項に記載の入浴装置。
【請求項６】
前記収容部は、周方向に摺動可能に順次接続される複数の構成部を備えることを特徴とする請求項１〜請求項４のいずれか１項に記載の入浴装置。
【請求項７】
請求項１〜請求項６のいずれか１項に記載の入浴装置と、
搭乗台と、前記搭乗台を移動可能とするキャスターと、人を立位姿勢で保持するための保持部と、を有した移動器具と、を備えることを特徴とする入浴システム。
【発明の詳細な説明】
【技術分野】
【０００１】
本発明は、入浴装置及び入浴システムに関するものである。
【背景技術】
【０００２】
従来、身体障害者や高齢者等の入浴に用いる入浴装置が知られている（例えば特許文献１参照）。
【０００３】
特許文献１には、車椅子に乗った利用者（身体障害者や高齢者等）を収容可能な浴槽本体を備え、浴槽本体に設けられた種々のシャワーノズルによって利用者に湯を浴びせるシャワー入浴装置が開示されている。そして、このシャワー入浴装置では、浴槽本体の側壁の外側に手摺りが設けられ、車椅子に乗った利用者を洗浄する際に、当該手摺りに利用者がつかまり、身体の安定を図りながら立位姿勢をとる。洗浄する際は、手摺り付近に設けられたハンドシャワーを用いる。
【先行技術文献】
【特許文献】
【０００４】
【特許文献１】特許第３５７８４２８号公報
【発明の概要】
【発明が解決しようとする課題】
【０００５】
ここで、上記特許文献１では、利用者を入浴させる際、介護者はまず車椅子に乗った利用者に立位姿勢をとらせて手摺りをつかませる（なお、上記車椅子は入浴により濡れてしまうので、通常の車椅子から上記車椅子に予め利用者を移乗させる必要がある）。そして、その状態で介護者は、洗浄剤及びハンドシャワーを用いて利用者の体を洗浄する。そして、洗浄が終わった利用者を介護者は車椅子に再び座らせ、車椅子に乗った利用者を浴槽本体内へ移動させる。そして、シャワーノズルから湯を利用者へ浴びせることで利用者は入浴する。従って、体の洗浄及び入浴の際に、利用者は座位姿勢と立位姿勢の間で姿勢を変える必要があり、利用者及び介護者にとって負担が大きいという問題がある。
【０００６】
上記問題点に鑑み、本発明は、利用者及び介護者にとっての負担を軽減することができる入浴装置、及び入浴システムを提供することを目的とする。
【課題を解決するための手段】
【０００７】
上記目的を達成するために本発明の一態様に係る入浴装置は、人が立位姿勢で搭乗した状態で移動可能な移動器具を収容可能な収容部と、前記収容部の内部に配された水を噴出するための噴出部と、を備える構成としている（第１の構成）。
【０００８】
このような構成によれば、移動器具に搭乗した搭乗者（利用者）が立位姿勢のまま入浴及び体の洗浄を行うことが可能となり、利用者及び介護者にとっての負担を軽減することができる。
【０００９】
また、上記第１の構成において、開閉可能に構成された前記収容部を閉め切った状態で、前記収容部の側面に開口部が形成されることとしてもよい（第２の構成）。
【００１０】
このような構成によれば、収容部を閉め切った状態でも、開口部を通じて介護者が搭乗者の介助を行い易くなる。
【００１１】
また、上記第１の構成において、開閉可能に構成された前記収容部は、閉めることによって内部が密閉された状態をとることが可能であることとしてもよい（第３の構成）。
【００１２】
このような構成によれば、移動器具を収容させた収容部の内部が密閉状態となることにより、湯を噴出口から噴出させると、収容部の内部が蒸した状態となり、搭乗者はあたかも蒸し風呂に入浴している感覚を得ることができる。
【００１３】
また、上記第３の構成において、前記収容部の天面には、前記密閉された状態にて開口部が形成されることとしてもよい（第４の構成）。
【００１４】
このような構成によれば、収容部の内部が密閉された状態でも、開口部に搭乗者の首を位置させることで頭部を収容部の外部に露出させることができる。従って、介護者は搭乗者とコミュニケーションをとることができる。
【００１５】
また、上記第１〜第４のいずれかの構成において、前記収容部は、第１構成部と、前記第１構成部に対して鉛直軸周りに回動可能に接続される第２構成部と、を備え、
前記噴出部は、前記第１構成部の側壁部内面及び前記第２構成部の側壁部内面にわたって沿うように配される給湯配管に設けられることとしてもよい（第５の構成）。
【００１６】
このような構成によれば、第２構成部の回動により収容部が開閉可能となり、収容部を閉めて移動器具を収容させると、搭乗者の体の周囲に給湯配管が位置することになる。従って、噴水部から水を噴出させると、搭乗者の体の広範囲に水を浴びせることができる。
【００１７】
また、上記第１〜第４のいずれかの構成において、前記収容部は、周方向に摺動可能に順次接続される複数の構成部を備えることとしてもよい（第６の構成）。
【００１８】
このような構成によれば、複数の構成部を周方向に摺動させることで収容部を開閉できる。これにより、収容部を開けた状態でも、スペースをとらない。
【００１９】
また、本発明の別態様に係る入浴システムは、上記第１〜第６のいずれかの構成である入浴装置と、
搭乗台と、前記搭乗台を移動可能とするキャスターと、人を立位姿勢で保持するための保持部と、を有した移動器具と、を備える構成としている。
【発明の効果】
【００２０】
本発明の入浴装置、及び入浴システムによれば、利用者及び介護者にとっての負担を軽減することができる。
【図面の簡単な説明】
【００２１】
【図１】本発明の第１実施形態に係る入浴システムの構成を示す図である。
【図２】本発明の第１実施形態に係る入浴装置を閉じた状態を示す図である。
【図３】本発明の第１実施形態に係る入浴装置に移動式立位保持器具を収容させた状態を示す図である。
【図４】本発明の第２実施形態に係る入浴装置を開いた状態を示す図である。
【図５】本発明の第２実施形態に係る入浴装置を閉じた状態を示す図である。
【図６】本発明の第３実施形態に係る入浴装置を開いた状態を示す図である。
【図７】本発明の第３実施形態に係る入浴装置を閉じた状態を示す図である。
【図８】本発明の第４実施形態に係る入浴装置の構成を示す図である。
【発明を実施するための形態】
【００２２】
以下に本発明の一実施形態について図面を参照して説明する。
【００２３】
＜第１実施形態＞
本発明の第１実施形態に係る入浴システムの構成を図１に示す。図１に示す入浴システムは、入浴装置１と移動式立位保持器具２とから構成される。
【００２４】
図１に示すように入浴装置１は、移動式立位保持器具２を内部に収容可能な収容部１１（後述する図３参照）と、筐体部１２と、給湯配管１３Ａ〜１３Ｃと、ハンドシャワー部１４を備えている。
【００２５】
収容部１１は、設置場所に固定される固定部１１Ａと、可動部１１Ｂから成る。固定部１１Ａは、天板部１１１Ａと、天板部１１１Ａの外縁の一部である湾曲部に沿って天板部１１１Ａの略垂直方向に突設された側壁部１１２Ａとから構成される。可動部１１Ｂは、天板部１１１Ｂと、天板部１１１Ｂの外縁の一部である湾曲部に沿って天板部１１１Ｂの略垂直方向に突設された側壁部１１２Ｂとから構成される。
【００２６】
側壁部１１２Ａと側壁部１１２Ｂは上下方向の辺同士で接続され、その接続箇所を支軸として支軸周り（鉛直軸周り）に可動部１１Ｂが固定部１１Ａに対して回動して開閉する。固定部１１Ａに対して可動部１１Ｂを閉め切った状態を図２に示す。図２に示す状態で、可動部１１Ｂはそれ以上閉める方向に回動しないよう規制される。このように回動が規制されることで、収容部１１の側面に開口部Ｐが形成される。
【００２７】
筐体部１２は、固定部１１Ａに対して一体化して設けられる。筐体部１２内部には、各種配管、外部から供給される高温水（ボイラー等により加熱された水）と低温水とを混合して湯を生成して吐出する電子制御ミキシング部、上記電子制御ミキシング部の出湯側に設けられる温度センサー、温度センサーの測定結果に応じて上記電子制御ミキシング部を制御する制御部、及び上記電子制御ミキシング部の出湯側に設けられる止水栓（いずれも不図示）などが配されている。
【００２８】
上記温度センサーの測定結果が設定温度となるように上記制御部が上記電子制御ミキシング部を制御することにより、設定温度の湯が上記電子制御ミキシング部から吐出される。吐出された湯は上記止水栓が開いている場合は、上記止水栓を介して各給湯配管１３Ａ、１３Ｂ及び１３Ｃに供給される。
【００２９】
なお、上記止水栓は、例えば、筐体部１２の外面に設けられた操作キー（不図示）の操作に応じて前記制御部の制御により開閉されるようにすればよい。また、湯の設定温度も操作キーによって設定可能としてもよい。
【００３０】
ここで、側壁部１１２Ａの内面及び側壁部１１２Ｂの内面にわたって沿うように、上方から下方に向かって順に給湯配管１３Ａ、１３Ｂ、及び１３Ｃが配される。給湯配管１３Ａ〜１３Ｃは、収容部１１の開閉に対応できるよう例えば、全体を軟質な素材により構成したり、一部を軟質部材で他を硬質部材により構成してもよい。
【００３１】
また、給湯配管１３Ａに沿って複数のシャワー吹出し口１３１Ａが、給湯配管１３Ｂに沿って複数のシャワー吹出し口１３１Ｂが、及び給湯配管１３Ｃに沿って複数のシャワー吹出し口１３１Ｃが設けられる（図２参照）。上記のように給湯配管１３Ａ〜１３Ｃに供給された湯は、シャワー吹出し口１３１Ａ〜１３１Ｃより噴出されることになる。
【００３２】
なお、給湯配管１３Ａは例えば移動式立位保持器具２の搭乗者の肩部及び胸部に湯が噴出されるよう、給湯配管１３Ｂは例えば搭乗者の腰部に湯が噴出されるよう、給湯配管１３Ｃは例えば搭乗者の脚部に湯が噴出されるような位置に配される。
【００３３】
また、ハンドシャワー部１４は、ホース部１４Ａと、ホース部１４Ａの先端に接続されたシャワーヘッド１４Ｂから成る。シャワーヘッド１４Ｂは、筐体部１２に対して着脱可能となっている。
【００３４】
筐体部１２内部の上記電子制御ミキシング部により吐出された湯は、筐体部１２内部の止水栓（先述の止水栓とは別）を介してホース部１４Ａへ供給され、シャワーヘッド１４Ｂから噴出される。なお、当該止水栓も、例えば、筐体部１２外面に設けられた操作キー（不図示）の操作に応じて開閉されるようにすればよい。また、ハンドシャワー１４用に電子制御ミキシング部を別途設けて、給湯配管１３Ａ〜１３Ｃ用とは別個に水温調整できるようにしてもよい。
【００３５】
次に、移動式立位保持器具２の構成について説明する。図１に示すように、移動式立位保持器具２は、高齢者や身体障害者等の歩行困難な被介護者（搭乗者）を立位で乗せるための搭乗台２０を備えている。搭乗台２０の下面には、車輪を備えたキャスター２５Ａを前方左右に設け、車輪を備えたキャスター２５Ｂを後方左右に設けている。キャスター２５Ａ、及び２５Ｂの車輪は搭乗台２０の搭乗面に対して垂直方向の軸周りに回動可能に構成される。これにより、移動式立位保持器具２を回転させて方向を変えることが容易となる。
【００３６】
更に、移動式立位保持器具２は、柱部２１Ａ、２１Ｂと、支持部２２と、把持部２３と、膝当て部２４を備え、これらの部材から人を立位姿勢で保持するための保持部が形成されている。搭乗台２０には、一対の柱部２１Ａ、２１Ｂが立設される。柱部２１Ａの一端と柱部２１Ｂの一端は、搭乗者が手で把持するための把持部２３の各端部に接続される。即ち、柱部２１Ａ、２１Ｂと把持部２３は一体化されている。
【００３７】
柱部２１Ａ、２１Ｂと把持部２３の接続箇所付近には、搭乗者の前腕を支持するための支持部２２が設けられる。また、柱部２１Ａ、２１Ｂの途中には、搭乗者の膝を当接させるための膝当て部２４が設けられる。なお、把持部２３を設けず、支持部２２の前腕を置く面を前方に更に延長して、支持部２２の先端を搭乗者が手で把持できるようにしてもよい。
【００３８】
次に、このような構成である入浴システムの利用形態の一例について説明する。まず、介護者は脱衣室にて、車椅子に座位姿勢で乗った被介護者を移動式立位保持器具２に立位姿勢で移乗させる。移動式立位保持器具２に乗った被介護者（搭乗者）は、立位姿勢で前腕を支持部２２に置き、把持部２３を手で把持する。なお、この状態で搭乗者をバンドにて柱部２１Ａ、２１Ｂに固定するようにしてもよい。
【００３９】
そして、介護者は、搭乗者が乗った移動式立位保持器具２を、可動部１１Ｂが開いた状態の入浴装置１１に向けて移動させる。移動式立位保持器具２を収容部１１の付近まで移動させた状態で、介護者は可動部１１Ｂを閉める。これにより、図３に示すように、移動式立位保持器具２及びこれに乗った搭乗者は収容部１１により収容される。なお、収容とは、全部が収容されていることに限らず、一部のみが収容されていることも含む。この状態で、搭乗者の体の周囲に給湯配管１３Ａ〜１３Ｃが配されることになる。
【００４０】
この状態で、介護者が例えば上記操作キーを操作することにより、止水栓が開き、湯が給湯配管１３Ａ〜１３Ｃに供給されてシャワー吹出し口１３１Ａ〜１３１Ｃから搭乗者に向かって噴出される。これにより、搭乗者の前面側と側面側に湯を浴びせることができる。
【００４１】
このとき、収容部１１の側面に開口部Ｐが形成されているため、ハンドシャワー部１４のシャワーヘッド１４Ｂを筐体部１２から外して把持した介護者が例えば上記操作キーを操作することにより、ハンドシャワー部１４に湯が供給され、シャワーヘッド１４Ｂから噴出される湯を搭乗者の後面側に浴びせることができる。なお、シャワーヘッド１４Ｂにより搭乗者の頭髪にも湯を浴びさせてもよい。また、開口部Ｐが形成されているため、介護者は搭乗者の介助を行い易くなる。
【００４２】
そして、介護者は、操作によって湯の噴出を止め、可動部１１Ｂを開いて、移動式立位保持器具２を入浴装置１１から離れるよう移動させる。ここで、介護者は、例えば洗浄剤をつけたスポンジなどによって搭乗者の体をこすり、垢を落とす。
【００４３】
そして、介護者は、再び移動式立位保持器具２を入浴装置１に移動させ、可動部１１Ｂを閉め、操作によってシャワー吹出し口１３１Ａ〜１３１Ｂ、及びシャワーヘッド１４Ｂから湯を噴出させ、搭乗者に湯を浴びさせる。これにより、搭乗者の体についた洗浄剤などが洗い落とされ、搭乗者は快適な状態となる。
【００４４】
そして、介護者は、操作によって湯の噴出を止め、可動部１１Ｂを開いて、移動式立位保持器具２を入浴装置１１から離れるよう移動させる。そして、介護者は、搭乗者の体についた水をタオル等により拭き、搭乗者を車椅子へ移乗させる。
【００４５】
このように、被介護者が移動式立位保持器具２に立位姿勢で乗ったまま効率的に入浴及び体の洗浄を行うことができるので、被介護者及び介護者にとっての負担が軽減される。なお、搭乗者が立位姿勢であるので、特に臀部を洗浄することが容易となる。
【００４６】
なお、例えば、給湯配管１３Ａ〜１３Ｃは、搭乗者の体格に応じて上下方向の位置を変更可能としてもよい。これにより、搭乗者の体格に依らず湯を搭乗者に適切に浴びさせることができる。
【００４７】
また、例えば、搭乗者の頭髪に湯を噴出できるような位置に側壁部１１２Ａ及び１１２Ｂの内面に沿った給湯配管を設けてもよい。
【００４８】
また、例えば、筐体部１２内部に洗浄剤を汲み上げるポンプを設け、汲み上げられた洗浄剤を湯に混合させて、洗浄剤を含んだ湯を給湯配管１３Ａ〜１３Ｃに供給し、シャワー吹出し口１３１Ａ〜１３１Ｃから噴出させるようにしてもよい。この場合、例えば洗浄剤を含んだ湯を噴出させる専用の操作キーを筐体部１２外面に設けてもよい。
【００４９】
＜第２実施形態＞
次に、本発明の第２実施形態について説明する。本発明の第２実施形態に係る入浴装置の構成を図４、及び図５に示す。図４に示す本発明の第２実施形態に係る入浴装置３は、第１実施形態と同様に移動式立位保持器具２と共に利用する。図４では、移動式立位保持器具２は図示を省略する。
【００５０】
図４に示すように、入浴装置３は、移動式立位保持器具２を内部に収容可能な収容部３１と、筐体部３２を備えている。
【００５１】
収容部３１は、設置場所に固定される固定部３１Ａと、可動部３１Ｂから成る。固定部３１Ａは、天板部３１１Ａと、天板部３１１Ａの外縁の一部である湾曲部に沿って天板部３１１Ａの略垂直方向に突設された側壁部３１２Ａとから構成される。可動部３１Ｂは、天板部３１１Ｂと、天板部３１１Ｂの外縁の一部である湾曲部に沿って天板部３１１Ｂの略垂直方向に突設された側壁部３１２Ｂとから構成される。
【００５２】
側壁部３１２Ａと側壁部３１２Ｂは上下方向の辺同士で接続され、その接続箇所を支軸として支軸周りに可動部３１Ｂが固定部３１Ａに対して回動して開閉する。固定部３１Ａに対して可動部３１Ｂを閉め切った状態を図５に示す。図５に示すように、可動部３１Ｂを閉め切った状態で、収容部３１は内部が密閉された状態となる。
【００５３】
このとき、天板部３１１Ａに設けられた切欠き部と天板部３１１Ｂに設けられた切欠き部とから開口部Ｑが収容部３１の天面に形成される。開口部Ｑは、移動式立位保持器具２に立位姿勢で乗った搭乗者の頭部を収容部３１の外部に露出させるためのものである。
【００５４】
また、給湯配管３３Ａ〜３３Ｃ、及び筐体部３２の構成については第１実施形態と同様であるので詳述は省くが、給湯配管３３Ａ〜３３Ｃに供給された湯は、給湯配管３３Ａ〜３３Ｃに設けられた複数のシャワー吹出し口から噴出される。
【００５５】
なお、本実施形態に係る入浴装置３では、第１実施形態のようなハンドシャワー部は設けていないが、補助的にハンドシャワー部を設けてもよい。
【００５６】
次に、本実施形態に係る入浴システムの利用形態の一例について説明する。介護者は、被介護者（搭乗者）を乗せた移動式立位保持器具２を収容部３１に向けて移動させる。そして、搭乗者の首が天板部３１１Ａの切欠き部に位置する状態で介護者は可動部３１Ｂを閉める。すると、移動式立位保持器具２及び搭乗者の首より下の部分が収容部３１の密閉された内部空間に収容され、搭乗者の首は開口部Ｑ内に位置して頭部が収容部３１外部に露出される。これにより、介護者は搭乗者とコミュニケーションをとることができる。
【００５７】
ここで、介護者による例えば筐体部３２外面に設けられた操作キーの操作により、湯が給湯配管３３Ａ〜３３Ｃに供給され、各シャワー吹出し口から搭乗者に向かって噴出される。給湯配管３３Ａ〜３３Ｃは搭乗者のほぼ全周を囲む状態となるので、搭乗者の前後、側面側に湯を浴びせることができる。
【００５８】
そして、介護者の操作により、湯の噴出が止められる。密閉状態である収容部３１内部は蒸された状態となるので、搭乗者は蒸し風呂に入浴している感覚を得ることができる。
【００５９】
その後、介護者は、可動部３１Ｂを開き、移動式立位保持器具２を入浴装置３から離れる方向に移動させ、搭乗者の垢を洗浄剤により落とす。そして、移動式立位保持器具２を再度収容部３１に収容させ、湯を搭乗者の体に噴出させる。これにより、搭乗者の体についた洗浄剤等が洗い流される。そして、介護者は、湯の噴出を止め、移動式立位保持器具２を入浴装置３から離れた位置まで移動させる。
【００６０】
このように本実施形態によっても、被介護者が移動式立位保持器具２に立位姿勢で乗ったまま効率的に入浴及び体の洗浄を行うことができるので、被介護者及び介護者にとっての負担が軽減される。
【００６１】
なお、搭乗者の体格に応じて開口部Ｑの高さ位置を調整できるようにしてもよい。即ち、天板部３１１Ａの側壁部３１２Ａにおける高さ位置と、天板部３１１Ｂの側壁部３１２Ｂにおける高さ位置を調整できるようにしてもよい。
【００６２】
＜第３実施形態＞
次に、本発明の第３実施形態について説明する。本発明の第３実施形態に係る入浴装置の構成を図６、及び図７に示す。本実施形態でも、不図示の移動式立位保持器具２と共に利用する。
【００６３】
図６に示すように、本実施形態に係る入浴装置４は、移動式立位保持器具２を内部に収容可能な収容部４１と、筐体部４２を備えている。収容部４１は、設置場所に固定される固定部４１Ａ、可動部４１Ｂ、及び可動部４１Ｃから構成される。
【００６４】
固定部４１Ａは、天板部４１１Ａと、天板部４１１Ａの外縁の一部である湾曲部に沿って天板部４１１Ａの略垂直方向に突設された側壁部とから構成される。可動部４１Ｂは、天板部４１１Ｂと、天板部４１１Ｂの外縁の一部である湾曲部に沿って天板部４１１Ｂの略垂直方向に突設された側壁部とから構成される。天板部４１１Ｂは、天板部４１１Ａに対して周方向に摺動可能（スライド可能）に接続されている。
【００６５】
可動部４１Ｃは、天板部４１１Ｃと、天板部４１１Ｃの外縁の一部である湾曲部に沿って天板部４１１Ｃの略垂直方向に突設された側壁部とから構成される。天板部４１１Ｃは、天板部４１１Ｂに対して周方向に摺動可能（スライド可能）に接続されている。
【００６６】
可動部４１Ｂを固定部４１Ａに対して周方向に摺動させ、可動部４１Ｃを可動部４１Ｂに対して周方向に摺動させることで、収容部４１を開閉させる。収容部４１を閉め切った状態では、図７に示すように収容部４１内部が密閉された状態にすることができる。この状態で、天板部４１Ａ、４１Ｂ、及び４１Ｃに囲まれて開口部Ｒが形成される。開口部Ｒは、第２実施形態と同様、移動式立位保持器具２に立位姿勢で乗った搭乗者の頭部を収容部４１外部に露出させるためのものである。
【００６７】
また、図６に示すように、収容部４１の内壁面には上から下に向かい順に給湯配管４３Ａ、４３Ｂ、及び４３Ｃが配される。筐体部４２の構成については第１実施形態と同様であり、筐体部４２から給湯配管４３Ａ〜４３Ｃに供給された湯は、給湯配管４３Ａ〜４３Ｃに設けられた複数のシャワー吹出し口から噴出される。給湯配管４３Ａ〜４３Ｃは、可動部４１Ｂ及び可動部４１Ｃの摺動に応じて伸縮可能に構成される。
【００６８】
なお、本実施形態に係る入浴装置４はハンドシャワー部を備えていないが、補助的に備えるようにしてもよい。
【００６９】
このような構成である本実施形態に係る入浴装置４の利用形態の一例は、第２実施形態の場合と同様である。搭乗者を立位姿勢で乗せた移動式立位保持器具２を収容部４１まで移動させ、可動部４１Ｂ及び可動部４１Ｃを摺動させて図７に示すように収容部４１内部を密閉状態とすることで、移動式立位保持器具２及び搭乗者の首より下の部分が収容部４１内部に収容される。このとき、搭乗者の首が開口部Ｒ内に位置し、頭部が収容部４１外部に露出される。これにより、介護者は搭乗者とコミュニケーションをとることができる。
【００７０】
この状態で、シャワー吹出し口から湯を噴出させると、搭乗者の前後、側面側に湯を浴びせることができる。そして、湯の噴出を止めると、密閉状態である収容部４１内部は蒸された状態となり、搭乗者は蒸し風呂に入浴している感覚を得ることができる。
【００７１】
その後は、移動式立位保持器具２を入浴装置４から出して搭乗者の垢を落とし、再び移動式立位保持器具２を収容部４１に収容させて湯の噴出により洗浄剤等を洗い流す。
【００７２】
このような本実施形態によっても、被介護者が移動式立位保持器具２に立位姿勢で乗ったまま効率的に入浴及び体の洗浄を行うことができるので、被介護者及び介護者にとっての負担が軽減される。
【００７３】
特に、本実施形態によれば、可動部４１Ｂ及び可動部４１Ｃを摺動させて収容部４１を開閉する構成であるので、第２実施形態のようにあたかも蓋を開閉して収容部を開閉するよりも、収容部を開けた状態でスペースを取らないという利点を有する。
【００７４】
なお、可動部４１Ｂ及び可動部４１Ｃを摺動させて収容部４１を閉め切った状態で、収容部４１の側面に開口部が形成されるようにしてもよい（第１実施形態（図２）の開口部Ｐに相当）。
【００７５】
＜第４実施形態＞
次に、本発明の第４実施形態について説明する。本発明の第４実施形態に係る入浴装置の構成を図８に示す。本実施形態でも、不図示の移動式立位保持器具２と共に利用する。
【００７６】
図８に示すように、本実施形態に係る入浴装置５は、移動式立位保持器具２を収容可能な収容部５１と、筐体部５２を備えている。
【００７７】
収容部５１は、半円状の天板部５１１と、天板部５１１の外縁の一部である湾曲部に沿って天板部５１１の略垂直方向に突設された側壁部とから構成され、外形として半円柱状となる。収容部５１は、先の実施形態のような開閉構造は有していない。
【００７８】
収容部５１の内壁面には上から下へ向かい順に給湯配管５３Ａ、５３Ｂ、及び５３Ｃが配される。筐体部５２の構成は第１実施形態と同様であり、筐体部５２から給湯配管５３Ａ〜５３Ｃに供給された湯は、給湯配管５３Ａ〜５３Ｃに設けられた複数のシャワー吹出し口から噴出される。
【００７９】
本実施形態に係る入浴装置５の利用形態の一例を説明すると、介護者は、被介護者（搭乗者）が立位姿勢で乗った移動式立位保持器具２を移動させて収容部５１に収容させる。そして、介護者は、湯をシャワー吹出し口から噴出させて、移動式立位保持器具２を半回転させる。これにより、搭乗者も半回転するので、搭乗者の前後、側面側に湯を浴びせることができる。
【００８０】
そして、湯の噴出を止め、移動式立位保持器具２を移動して収容部５１から離れさせ、洗浄剤により搭乗者の垢を落とす。そして、再び移動式立位保持器具２を移動して収容部５１に収容させ、湯をシャワー吹出し口から噴出させて、移動式立位保持器具２を半回転させる。これにより、搭乗者の体についた洗浄剤等を洗い流す。
【００８１】
このように開閉構造を持たない簡易な構成の入浴装置５を用いる本実施形態によっても、被介護者が移動式立位保持器具２に立位姿勢で乗ったまま効率的に入浴及び体の洗浄を行うことができるので、被介護者及び介護者にとっての負担が軽減される。
【００８２】
以上、本発明の実施形態について説明したが、本発明の趣旨の範囲内であれば、実施形態は種々の変形が可能である。
【符号の説明】
【００８３】
１  入浴装置
１１  収容部
１１Ａ  固定部（第１構成部）
１１Ｂ  可動部（第２構成部）
１１１Ａ、１１１Ｂ  天板部
１１２Ａ、１１２Ｂ  側壁部
１２  筐体部
１３Ａ〜１３Ｃ  給湯配管
１３１Ａ〜１３１Ｃ  シャワー吹出し口（噴出部）
１４  ハンドシャワー部
１４Ａ  ホース部
１４Ｂ  シャワーヘッド
２  移動式立位保持器具
２０  搭乗台
２１Ａ、２１Ｂ  柱部
２２  支持部
２３  把持部
２４  膝当て部
２５Ａ、２５Ｂ  キャスター
【図１】
2015216949.tif 000003
【図２】
2015216949.tif 000004
【図３】
2015216949.tif 000005
【図４】
2015216949.tif 000006
【図５】
2015216949.tif 000007
【図６】
2015216949.tif 000008
【図７】
2015216949.tif 000009
【図８】
2015216949.tif 000010